(57)【要約】【課題】画質を劣化させることなく、簡単にフレーミングの微調整を行うことができる撮影装置を提供する。【解決手段】振動と同じ方向に補正レンズを移動させて、像のブレを補正する手ブレ補正装置を備えたデジタルカメラにおいて、手ブレ補正機能切替スイッチがフレーミング調整位置に合わせられると、手ブレ補正機能がＯＦＦ、フレーミング調整機能がＯＮされ、十字キーが押された方向に補正レンズが移動される。これにより、十字キーで押された方向に撮影領域が微小移動し、フレーミングの微調整が可能になる。【選択図】      図６
2006222794.tif 000002
【特許請求の範囲】
【請求項１】
振動を検出し、振動と同じ方向に補正レンズ又は撮像素子を平行移動させることによって、像のブレを光学的に補正する手ブレ補正装置を備えた撮影装置において、
撮影領域の移動方向を入力する移動方向入力手段と、
前記補正レンズ又は撮像素子の移動によって、前記移動方向入力手段から入力された移動方向に撮影領域が移動するように前記手ブレ補正装置を制御する制御手段と、
を備えたことを特徴とする撮影装置。
【請求項２】
前記移動方向入力手段は、撮影装置本体に備えられた十字キーであって、上下左右に撮影領域の移動方向を入力できることを特徴とする請求項１に記載の撮影装置。
【請求項３】
フレーミング調整機能のＯＮ／ＯＦＦを切り替える切替手段を備え、該記切替手段によって前記フレーミング機構がＯＮされると、前記移動方向入力手段が前記撮影領域の移動方向の入力手段として機能し、ＯＦＦされると、前記移動方向入力手段が他の機能の入力手段として機能することを特徴とする請求項１又は２に記載の撮影装置。
【請求項４】
振動を検出し、振動と同じ方向に補正レンズ又は撮像素子を平行移動させることによって、像のブレを光学的に補正する手ブレ補正装置を備えた撮影装置において、
フレーミング調整機能と手ブレ補正機能とを切り替える切替手段と、
撮影領域の移動方向を入力する移動方向入力手段と、
前記切替手段によって前記フレーミング機能が選択されると、前記補正レンズ又は撮像素子の移動によって、前記移動方向入力手段から入力された移動方向に撮影領域が移動するように前記手ブレ補正装置を制御し、前記切替手段によって前記手ブレ補正機能が選択されると、前記補正レンズ又は撮像素子の移動によって、像のブレが補正されるように前記手ブレ補正装置を制御する制御手段と、
を備えたことを特徴とする撮影装置。
【請求項５】
規定の撮影条件を検出する検出手段と、
前記検出手段の検出結果に応じて前記切替手段の切り替えを制御する切替制御手段と、
を備えたことを特徴とする請求項４に記載の撮影装置。
【請求項６】
前記規定の撮影条件は、セルフタイマ撮影であって、前記切替制御手段は、前記検出手段がセルフタイマ撮影を検出すると、前記フレーミング機能に切り替わるように前記切替手段を制御することを特徴とする請求項５に記載の撮影装置。
【請求項７】
前記規定の撮影条件は、バルブ撮影であって、前記切替制御手段は、前記検出手段がバルブ撮影を検出すると、前記フレーミング機能に切り替わるように前記切替手段を制御することを特徴とする請求項５に記載の撮影装置。
【請求項８】
前記規定の撮影条件は、所定のシャッタスピード以下の撮影であって、前記切替制御手段は、前記検出手段が所定のシャッタスピード以下の撮影を検出すると、前記フレーミング機能に切り替わるように前記切替手段を制御することを特徴とする請求項５に記載の撮影装置。
【発明の詳細な説明】
【技術分野】
【０００１】
本発明は撮影装置に係り、特に手ブレ補正機能を備えた撮影装置に関する。
【背景技術】
【０００２】
一般に三脚を用いた撮影では、三脚上に取り付けられた雲台を使ってカメラのフレーミング調整が行われる。しかしながら、雲台は大まかな調整はできるが、微調整が困難という欠点があった。
【０００３】
一方、特許文献１では、撮像素子で撮像された画像の切り出し範囲を調整することによって、フレーミングの微調整を行うことが提案されている。
【特許文献１】特開平５−２６８５１３号公報
【発明の開示】
【発明が解決しようとする課題】
【０００４】
しかしながら、特許文献１のように、画像の一部を切り出してフレーミングの微調整を行う方法では、撮影された画像が悪化してしまうという欠点がある。
【０００５】
本発明はこのような事情に鑑みてなされたもので、画質を劣化させることなく、簡単にフレーミングの微調整を行うことができる撮影装置を提供することを目的とする。
【課題を解決するための手段】
【０００６】
請求項１に記載の発明は、前記目的を達成するために、振動を検出し、振動と同じ方向に補正レンズ又は撮像素子を平行移動させることによって、像のブレを光学的に補正する手ブレ補正装置を備えた撮影装置において、撮影領域の移動方向を入力する移動方向入力手段と、前記補正レンズ又は撮像素子の移動によって、前記移動方向入力手段から入力された移動方向に撮影領域が移動するように前記手ブレ補正装置を制御する制御手段と、を備えたことを特徴とする撮影装置を提供する。
【０００７】
請求項１に記載の発明によれば、手ブレ補正の機構を利用して、簡単にフレーミングの微調整を行うことができる。
【０００８】
請求項２に記載の発明は、前記目的を達成するために、前記移動方向入力手段は、撮影装置本体に備えられた十字キーであって、上下左右に撮影領域の移動方向を入力できることを特徴とする請求項１に記載の撮影装置を提供する。
【０００９】
請求項２に記載の発明によれば、撮影装置本体に備えられた十字キーによって撮影領域の移動方向を入力することができる。
【００１０】
請求項３に記載の発明は、前記目的を達成するために、フレーミング調整機能のＯＮ／ＯＦＦを切り替える切替手段を備え、該記切替手段によって前記フレーミング機構がＯＮされると、前記移動方向入力手段が前記撮影領域の移動方向の入力手段として機能し、ＯＦＦされると、前記移動方向入力手段が他の機能の入力手段として機能することを特徴とする請求項１又は２に記載の撮影装置を提供する。
【００１１】
本発明によれば、移動方向入力手段が他の機能の入力手段と兼用され、切替手段によってフレーミング機構がＯＮにされた時のみ、撮影領域の移動方向の入力手段として機能する。
【００１２】
請求項４に記載の発明は、前記目的を達成するために、振動を検出し、振動と同じ方向に補正レンズ又は撮像素子を平行移動させることによって、像のブレを光学的に補正する手ブレ補正装置を備えた撮影装置において、フレーミング調整機能と手ブレ補正機能とを切り替える切替手段と、撮影領域の移動方向を入力する移動方向入力手段と、前記切替手段によって前記フレーミング機能が選択されると、前記補正レンズ又は撮像素子の移動によって、前記移動方向入力手段から入力された移動方向に撮影領域が移動するように前記手ブレ補正装置を制御し、前記切替手段によって前記手ブレ補正機能が選択されると、前記補正レンズ又は撮像素子の移動によって、像のブレが補正されるように前記手ブレ補正装置を制御する制御手段と、を備えたことを特徴とする撮影装置を提供する。
【００１３】
請求項４に記載の発明によれば、切替手段によって手ブレ補正装置の機能を切り替えることができ、フレーミング機能が選択されると、フレーミングを微調整する手段として機能し、手ブレ補正機能が選択されると、手ブレによる像のブレを補正する手段として機能する。
【００１４】
請求項５に記載の発明は、前記目的を達成するために、規定の撮影条件を検出する検出手段と、前記検出手段の検出結果に応じて前記切替手段の切り替えを制御する切替制御手段と、を備えたことを特徴とする請求項４に記載の撮影装置を提供する。
【００１５】
請求項５に記載の発明によれば、検出手段で規定の撮影条件が検出されると、手ブレ補正装置に機能が自動的に切り替えられる。
【００１６】
請求項６に記載の発明は、前記目的を達成するために、前記規定の撮影条件は、セルフタイマ撮影であって、前記切替制御手段は、前記検出手段がセルフタイマ撮影を検出すると、前記フレーミング機能に切り替わるように前記切替手段を制御することを特徴とする請求項５に記載の撮影装置を提供する。
【００１７】
請求項６に記載の発明によれば、検出手段によってセルフタイマ撮影が検出されると、自動的に手ブレ補正装置の機能がフレーミング機能に切り替えられる。
【００１８】
請求項７に記載の発明は、前記目的を達成するために、前記規定の撮影条件は、バルブ撮影であって、前記切替制御手段は、前記検出手段がバルブ撮影を検出すると、前記フレーミング機能に切り替わるように前記切替手段を制御することを特徴とする請求項５に記載の撮影装置を提供する。
【００１９】
請求項７に記載の発明によれば、検出手段によってバルブ撮影が検出されると、自動的に手ブレ補正装置の機能がフレーミング機能に切り替えられる。
【００２０】
請求項８に記載の発明は、前記目的を達成するために、前記規定の撮影条件は、所定のシャッタスピード以下の撮影であって、前記切替制御手段は、前記検出手段が所定のシャッタスピード以下の撮影を検出すると、前記フレーミング機能に切り替わるように前記切替手段を制御することを特徴とする請求項５に記載の撮影装置を提供する。
【００２１】
請求項８に記載の発明によれば、検出手段によって、所定のシャッタスピード以下のシャッタスピードでの撮影が検出されると、自動的に手ブレ補正装置の機能がフレーミング機能に切り替えられる。
【発明の効果】
【００２２】
本発明によれば、画質を劣化させることなく、簡単にフレーミングの微調整を行うことができる。
【発明を実施するための最良の形態】
【００２３】
以下、添付図面に従って本発明に係る撮影装置を実施するための最良の形態について詳説する。
【００２４】
図１、図２は、それぞれ本発明が適用されたデジタルカメラの正面斜視図と背面斜視図である。このデジタルカメラ１０は、光学式の手ブレ補正機能を備えたカメラであって、そのカメラボディ１２の正面には、図１に示すように、撮影レンズ１４、ファインダ窓１６、ストロボ１８等が設けられている。また、カメラボディ１２の上面には、シャッタボタン２０、電源／モードスイッチ２２、モードダイヤル２４、手ブレ補正機能切替スイッチ２６等が設けられており、背面には、図２に示すように、ファインダ接眼部２８、液晶モニタ３０、ズームボタン３２、十字キー３４、ＭＥＮＵ／ＯＫボタン３６、ＤＩＳＰボタン３８、ＢＡＣＫボタン４０等が設けられている。
【００２５】
シャッタボタン２０は、いわゆる「半押し」と「全押し」とからなる２段ストローク式のスイッチで構成されており、このシャッタボタン２０を半押しすることにより、デジタルカメラ１０は、ＡＥ（Automatic Exposure：自動露出）、ＡＦ（Auto Focus：自動合焦）、ＡＷＢ（Automatic White Balance ：自動ホワイトバランス）が機能し、全押しすることにより、画像の記録が行われる。
【００２６】
電源／モードスイッチ２２は、デジタルカメラ１０の電源をＯＮ／ＯＦＦする電源スイッチとしての機能と、デジタルカメラ１０のモードを設定するモードスイッチとしての機能を有しており、「ＯＦＦ位置」、「再生位置」、「撮影位置」の間をスライド自在に設けられている。デジタルカメラ１０は、この電源／モードスイッチ２２を「再生位置」又は「撮影位置」に合わせることにより、電源がＯＮになり、「ＯＦＦ位置」に合わせることにより、電源がＯＦＦになる。そして、電源／モードスイッチ２２を「再生位置」に合わせることにより「再生モード」に設定され、「撮影位置」に合わせることにより「撮影モード」に設定される。
【００２７】
モードダイヤル２４は、デジタルカメラ１０の撮影モードを設定する撮影モード設定手段として機能し、このモードダイヤルの設定位置により、デジタルカメラ１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタスピード優先撮影モード」、「マニュアル撮影モード」に設定される。
【００２８】
手ブレ補正機能切替スイッチ２６は、デジタルカメラ１０に備えられた手ブレ補正装置の機能切替スイッチとして機能し、「手ブレ補正ＯＮ位置」、「手ブレ補正ＯＦＦ位置」、「フレーミング調整位置」、「手ブレ補正＋フレーミング調整位置」の間をスライド自在に設けられている。デジタルカメラ１０は、この手ブレ補正機能切替スイッチ２６を「手ブレ補正ＯＮ位置」に合わせられることにより、手ブレ補正機能がＯＮされ、「手ブレ補正ＯＦＦ位置」に合わせられることにより、手ブレ補正機能がＯＦＦされる。また、「フレーミング調整位置」に合わせられることにより、手ブレ補正装置を利用したフレーミング機能がＯＮされ（手ブレ補正機能はＯＦＦ）、「手ブレ補正＋フレーミング調整位置」に合わせられることにより、手ブレ補正機能とフレーミング調整機能とが同時にＯＮされる。
【００２９】
液晶モニタ３０は、カラー表示が可能な液晶ディスプレイで構成されている。この液晶モニタ３０は、再生モード時に撮影済み画像を表示するための表示パネルとして利用されるとともに、各種設定時にユーザインターフェースの表示パネルとして利用される。また、撮影時には必要に応じてスルー画像が表示されて、画角確認用の電子ファインダとして利用される。
【００３０】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００３１】
十字キー３４は、上下左右４方向に押圧操作することができるようにされており、各方向の各キーは、カメラの状態に応じて割り当てられる機能が変化する。たとえば、通常の撮影モード時には、右キーがマクロ機能のＯＮ／ＯＦＦを切り替えるスイッチとして機能し、左キーがストロボの機能（オート／赤目軽減／スローシンクロ／発光禁止）を切り替えるスイッチとして機能する。また、後述するように、フレーミング調整時には、上キーが撮影領域の上方向への移動、下キーが撮影領域の下方向への移動、右キーが撮影領域の右方向への移動、左キーが撮影領域の左方向への移動指示を入力するキーとして機能する。また、再生時には右キーが順コマ送りボタンとして機能し、左キーが逆コマ送りボタンとして機能する。
【００３２】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００３３】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００３４】
図３は上記デジタルカメラの電気的構成を示すブロック図である。同図に示すように、デジタルカメラ１０は、撮影レンズ１４、ＣＣＤ１１４、アナログ信号処理部１１６、Ａ／Ｄ変換器１１８、デジタル信号処理部１２０、圧縮伸張処理部１２２、メディアコントローラ１２４、記憶メディア１２６、エンコーダ１２８、液晶モニタ３０、操作部（シャッタボタン２０、電源／モードスイッチ２２、モードダイヤル２４、手ブレ補正機能切替スイッチ２６、ズームボタン３２、十字キー３４、ＭＥＮＵ／ＯＫボタン３６、ＤＩＳＰボタン３８、ＢＡＣＫボタン４０等）１３２、ＣＰＵ１３４、ＲＡＭ１３６、ＲＯＭ１３８、フラッシュＲＯＭ１４０等で構成されている。
【００３５】
デジタルカメラ１０の全体の動作は、ＣＰＵ１３４によって統括制御されており、ＣＰＵ１３４は、操作部１３２からの入力に応じて、ＲＡＭ１３６を作業領域としながら、所定の制御プログラムに従ってデジタルカメラ１０の各部を制御する。ＲＯＭ１３８には、このＣＰＵ１３４が実行する制御プログラム及び制御に必要な各種データが記録されており、フラッシュＲＯＭ１４０には、ユーザ設定データ等が記録されている。
【００３６】
撮影レンズ１４を介してＣＣＤ１１４の受光面に入射した被写体光は、ＣＣＤ１１４の受光面に配列されたフォトダイオードによって光電変換され、画像信号としてＣＣＤ１１４から出力される。
【００３７】
ＣＣＤ１１４から出力された画像信号は、ＣＤＳ（相関二重サンプリング）、ＡＧＣ（ゲイン・コントロール・アンプ回路）等を備えたアナログ信号処理部１１６にて所要の信号処理を施された後、Ａ／Ｄ変換器１１８でデジタル信号に変換されて、デジタル信号処理部１２０に取り込まれる。
【００３８】
デジタル信号処理部１２０は、入力された画像信号に対して色分離処理、ガンマ補正処理、輪郭強調補正処理、色差マトリクス処理等の所要の信号処理を施して輝度信号（Ｙ信号）と色差信号（Ｃｒ、Ｃｂ信号）とからなるＹＵＶ信号を生成する。
【００３９】
画像を記録する場合は、デジタル信号処理部１２０で生成されたＹＵＶ信号が圧縮伸張処理部１２２にて所要の圧縮処理が施され、この圧縮された画像データがメディアコントローラ１２４を介して記憶メディア１２６に記録される。
【００４０】
また、液晶モニタ３０にスルー画像を表示する場合は、デジタル信号処理部１２０で生成されたＹＵＶ信号がエンコーダ１２８に加えられ、所定の表示用の信号形式に変換されて液晶モニタ３０に出力される。
【００４１】
また、記憶メディア１２６に記録された圧縮画像データを再生する場合は、ユーザによる再生操作に応じて圧縮伸張処理部１２２に読み出され、所要の伸張処理が施されて非圧縮のＹＣ信号とされた後、エンコーダ１２８を介して液晶モニタ３０に表示される。
【００４２】
図４は、撮影レンズの概略構成を示す図である。同図に示すように、撮影レンズ１４は、第１レンズ群１、第２レンズ群２、第３レンズ群３及び第４レンズ群４で構成されており、第３レンズ群３の前段に絞り５が設置されている。この撮影レンズ１４は、手ブレ補正機能を有しており、第１レンズ群１、第２レンズ群２及び第４レンズ群４が結像光学系を構成し、第３レンズ群３が、結像光学系の像のブレを補正する補正光学系を構成している。
【００４３】
第３レンズ群３は、補正レンズ３Ａと固定レンズ３Ｂとで構成されており、補正レンズ３Ａを撮影光軸Ｏと直交する面内でピッチ方向（上下）とヨー方向（左右）に移動させることにより、像ブレを補正する。以下、この補正レンズ３Ａを移動させる手ブレ補正装置５０の構成について説明する。
【００４４】
図５は手ブレ補正装置５０の構成を示す分解斜視図である。同図に示すように、レンズ鏡筒５２の内側には、ピッチ方向（図中Ｐ方向）に沿ってＰガイド軸５４Ｐが配設されるとともに、ヨー方向（図中Ｙ方向）に沿ってＹガイド軸５４Ｙが配設されている。
【００４５】
Ｐガイド軸５４Ｐには、Ｐスライダ５６Ｐがスライド自在に支持されており、Ｙガイド軸５４Ｙには、Ｙスライダ５６Ｙがスライド自在に支持されている。Ｐスライダ５６Ｐには、Ｙ方向に沿ってｙガイド軸５８Ｙが配設されており、このｙガイド軸５８Ｙに補正レンズ３Ａを保持したレンズ保持枠６０がスライド自在に支持されている。また、Ｙスライダ５６Ｙには、Ｐ方向に沿ってｐガイド軸５８Ｐが配設されており、このｐガイド軸５８Ｐにレンズ保持枠６０がスライド自在に支持されている。
【００４６】
Ｐスライダ５６Ｐは、コイル６２Ｐとマグネット６４ＰとからなるＰコイルモータ６６Ｐに駆動されてＰ方向にスライドする。そして、このＰコイルモータ６６Ｐを構成するコイル６４ＰがＰスライダ５６Ｐに取り付けられており、マグネット６４Ｐがレンズ鏡筒５２に取り付けられている。
【００４７】
一方、Ｙスライダ５６Ｙは、コイル６２Ｙとマグネット６４ＹとなるＹコイルモータ６６Ｙに駆動されてＹ方向にスライドする。そして、このＹコイルモータ６６Ｙを構成するコイル６２Ｙがスライダ５６Ｙに取り付けられており、マグネット６４Ｙがレンズ鏡筒５２に取り付けられている。
【００４８】
また、Ｐスライダ５６Ｐは、ホール素子（不図示）とマグネット６８ＰとからなるＰ位置センサ７０Ｐによって位置が検出される。そして、このＰ位置センサ７０Ｐを構成するホール素子がスライダ５６Ｐに取り付けられており、マグネット６８Ｐがレンズ鏡筒５２に取り付けられている。
【００４９】
一方、Ｙスライダ５６Ｙは、ホール素子（不図示）とマグネット６８ＹとからなるＹ位置センサ７０Ｙによって位置が検出される。そして、このＹ位置センサ７０Ｙを構成するホール素子がスライダ５６Ｙに取り付けられており、マグネット６８Ｙがレンズ鏡筒５２に取り付けられている。
【００５０】
以上のように構成された手ブレ補正装置５０では、Ｐコイルモータ６６Ｐを駆動すると、Ｐスライダ５６ＰがＰ方向に移動し、これにより、レンズ保持枠６０がＰ方向に移動して、補正レンズ３ＡがＰ方向に移動する。また、Ｙコイルモータ６６Ｙを駆動すると、Ｙスライダ５６ＹがＹ方向に移動し、これにより、レンズ保持枠６０がＹ方向に移動して、補正レンズ３ＡがＹ方向に移動する。
【００５１】
ＣＰＵ１３４は、Ｐ位置センサ７０ＰでＰスライダ５６Ｐの移動を検出すると、Ｐコイルモータドライバ７２Ｐを介してＰコイルモータ６６Ｐを駆動し、その移動を打ち消すように補正レンズ３Ａを移動させる。また、Ｙ位置センサ７０ＹでＹスライダ５６Ｙの移動を検出すると、Ｙコイルモータドライバ７２Ｙを介してＹコイルモータ６６Ｙを駆動し、その移動を打ち消すように補正レンズ３Ａを移動させる。これにより、手ブレに基づく像のブレが補正される。
【００５２】
さて、上記のように本実施の形態のデジタルカメラ１０では、この手ブレ補正装置５０を利用して、フレーミングの微調整を行うことができるようにされている。以下、この手ブレ補正装置５０を利用したフレーミングの微調整の機能について説明する。
【００５３】
上記のように、手ブレ補正装置５０は、Ｐコイルモータ６６Ｐを駆動することにより、補正レンズ３ＡがＰ（ピッチ：上下）方向に移動し、Ｙコイルモータ６６Ｙを駆動することにより、補正レンズ３ＡがＹ（ヨー：左右）方向に移動する。そして、補正レンズ３ＡをＰ方向に移動させると、ＣＣＤ１１４に撮影される領域が上下方向に移動し、Ｙ方向に移動させると、ＣＣＤ１１４に撮影される領域が左右方向に移動する。したがって、Ｙコイルモータ６６ＹとＰコイルモータ６６Ｐとを駆動して、補正レンズ３ＡをＰ方向とＹ方向に移動させることにより、撮影領域が上下左右に移動し、フレーミングの微調整を行うことができる。
【００５４】
この補正レンズ３Ａの移動方向の指示（＝撮影領域の移動方向の指示）は、十字キー３４にて行われ、十字キー３４の上キーを押下すると、補正レンズ３Ａが上方向に移動し、下キーを押下すると、補正レンズ３Ａが下方向に移動する。また、十字キー３４の右キーを押下すると、補正レンズ３Ａが右方向に移動し、左キーを押下すると、補正レンズ３Ａが左方向に移動する。
【００５５】
なお、補正レンズ３Ａは、十字キー３４を一回押下すると、押下されたキーの方向に所定量移動するものとする。したがって、押下する回数を調整することにより、補正レンズ３Ａの移動量を調整することができる。
【００５６】
この手ブレ補正装置５０を利用したフレーミングの微調整の機能は、上記のように、手ブレ補正機能切替スイッチ２６を「フレーミング調整位置」又は「手ブレ補正＋フレーミング調整位置」に合わせることにより作動する。
【００５７】
まず、手ブレ補正機能切替スイッチ２６を「フレーミング調整位置」に合わせた時のデジタルカメラ１０の処理動作について説明する。上記のように、手ブレ補正機能切替スイッチ２６が「フレーミング調整位置」に合わせられると、手ブレ補正機能はＯＦＦされ、フレーミング調整機能のみが有効に作動する。
【００５８】
図６は、手ブレ補正機能切替スイッチ２６が「フレーミング調整位置」に合わせられた時のデジタルカメラ１０の処理動作の手順を示すフローチャートである。
【００５９】
まず、ＣＰＵ１３４は、操作部１３２からの入力に基づき手ブレ補正機能切替スイッチ２６が「フレーミング調整位置」に合わせられたか否か判定する（ステップＳ１０）。
【００６０】
そして、手ブレ補正機能切替スイッチ２６がフレーミング調整位置に合わせられたと判定すると、手ブレ補正機能をＯＦＦする一方、フレーミング調整機能をＯＮし（ステップＳ１１）、補正レンズ３Ａの中心（光軸Ｏ´）を可動範囲の中心（撮影光軸Ｏ）に移動させる（ステップＳ１２）。
【００６１】
この後、ＣＰＵ１３４は、操作部１３２からの入力に基づき十字キー３４が押下されたか否か判定する（ステップＳ１３）。そして、十字キー３４が押下されたと判定した場合は、押下されたキーの方向に補正レンズ３Ａが移動するように、Ｐコイルモータ６６Ｐ又はＹコイルモータ６６Ｙを駆動して、補正レンズ３Ａを移動させる（ステップＳ１４）。これにより、十字キー３４を押下した方向に撮影領域が微小移動する。
【００６２】
補正レンズ３Ａの移動後、ＣＰＵ１３４は、操作部１３２からの入力に基づきシャッタボタン２０が全押しされたか否か判定し（ステップＳ１３）、シャッタボタン２０が全押しされたと判定すると、撮影を実行する（ステップＳ１６）。
【００６３】
一方、シャッタボタン２０が全押しされていないと判定すると、ステップＳ１３の処理に戻り、再度、操作部１３２からの入力に基づき十字キー３４が押下されたか否か判定する（ステップＳ１３）。そして、十字キー３４が押下されたと判定した場合は、押下されたキーの方向に補正レンズ３Ａが移動するように、Ｐコイルモータ６６Ｐ又はＹコイルモータ６６Ｙを駆動して、補正レンズ３Ａを移動させる（ステップＳ１４）。
【００６４】
このとき、ユーザは液晶モニタ３０に表示されるスルー画像を見ながら十字キー３４を操作し、撮影領域、すなわちフレーミングの微調整を行う。そして、所望の撮影領域の画像が液晶モニタ３０に表示されたところでシャッタボタン２０を全押しし、撮影を行う。
【００６５】
このように、手ブレ補正機能切替スイッチ２６が「フレーミング調整位置」に合わせられると、手ブレ補正装置５０を利用して、フレーミングの微調整を行うことができるようになり、十字キー３４が押された方向に撮影領域が微小移動する。
【００６６】
次に、手ブレ補正機能切替スイッチ２６を「手ブレ補正＋フレーミング調整位置」に合わせた時のデジタルカメラ１０の処理動作について説明する。
【００６７】
上記のように手ブレ補正機能切替スイッチ２６が「手ブレ補正＋フレーミング調整位置」に合わせられると、手ブレ補正の機能とフレーミング調整の機能の双方が有効に作動する。
【００６８】
図７は、手ブレ補正機能切替スイッチ２６が「手ブレ補正＋フレーミング調整位置」に合わせられた時のデジタルカメラ１０の処理動作の手順を示すフローチャートである。
【００６９】
まず、ＣＰＵ１３４は、操作部１３２からの入力に基づき手ブレ補正機能切替スイッチ２６が「手ブレ補正＋フレーミング調整位置」に合わせられたか否か判定する（ステップＳ２０）。
【００７０】
そして、手ブレ補正機能切替スイッチ２６がフレーミング調整位置に合わせられたと判定すると、手ブレ補正機能とフレーミング調整機能を共にＯＮし（ステップＳ２１）、Ｐ位置センサ７０Ｐ及びＹ位置センサ７０Ｙからのセンサ出力に基づいてＰコイルモータ６６Ｐ及びＹコイルモータ６６Ｙを駆動して、手ブレに基づく像のブレを補正する。
【００７１】
この後、ＣＰＵ１３４は、操作部１３２からの入力に基づき十字キー３４が押下されたか否か判定する（ステップＳ２２）。そして、十字キー３４が押下されたと判定した場合は、押下されたキーの方向に補正レンズ３Ａが移動するように、Ｐコイルモータ６６Ｐ又はＹコイルモータ６６Ｙを駆動し、補正レンズ３Ａを移動させる（ステップＳ２３）。なお、この間、ＣＰＵ１３４は継続的に手ブレ補正の処理を行っており、手ブレが生じている場合には、そのブレを補正量が加算されて補正レンズ３Ａが移動される。これにより、手ブレが補正されながら、十字キー３４を押下した方向に撮影領域が微小移動し、フレーミングの微調整を行うことができる。
【００７２】
補正レンズ３Ａの移動後、ＣＰＵ１３４は、操作部１３２からの入力に基づきシャッタボタン２０が全押しされたか否か判定し（ステップＳ２４）、シャッタボタン２０が全押しされたと判定すると、撮影を実行する（ステップＳ２５）。
【００７３】
一方、シャッタボタン２０が押下されていないと判定すると、ステップＳ２２の処理に戻り、再度、操作部１３２からの入力に基づき十字キー３４が押下されたか否か判定する（ステップＳ２２）。そして、十字キー３４が押下されたと判定した場合は、押下されたキーの方向に補正レンズ３Ａが移動するように、Ｐコイルモータ６６Ｐ又はＹコイルモータ６６Ｙを駆動して、補正レンズ３Ａを移動させる（ステップＳ２３）。
【００７４】
このとき、ユーザは液晶モニタ３０に表示されるスルー画像を見ながら十字キー３４を操作し、撮影領域、すなわちフレーミングの微調整を行う。そして、所望の撮影領域の画像が液晶モニタ３０に表示されたところでシャッタボタン２０を全押しし、撮影を行う。
【００７５】
このように、手ブレ補正機能切替スイッチ２６が「手ブレ補正＋フレーミング調整位置」に合わせられると、手ブレ補正の機能を有効にしたままフレーミングの微調整を行うことができ、十字キー３４を押した方向に撮影領域を微小移動させることができる。
【００７６】
以上説明したように、本実施の形態のデジタルカメラ１０によれば、カメラに備えられた手ブレ補正機能を利用して、簡単にフレーミングの微調整を行うことができる。
【００７７】
また、このフレーミングの微調整の機能は、既存の手ブレ補正装置５０を使用しているので、別途部品追加を行うことなく構成することができる。
【００７８】
さらに、この手ブレ補正装置５０は、光学式の手ブレ補正方式を採用しているため、画質の劣化も生じることがない。
【００７９】
なお、上記実施の形態では、ユーザが手ブレ補正機能切替スイッチ２６を操作することにより、手動で手ブレ補正装置５０の機能を切り替えるようにしていたが、撮影条件に応じて自動で切り替えるようにしてもよい。
【００８０】
たとえば、セルフタイマ撮影やバルブ撮影、所定のシャッタスピードよりも遅い速度での撮影（長時間露光撮影）など、カメラを三脚に設置して撮影する場合は、手ブレ補正の機能をＯＦＦすることが好ましいので、このような撮影条件に設定された場合は自動で手ブレ補正の機能をＯＦＦし、フレーミングの調整機能のみをＯＮにする。
【００８１】
この場合において、たとえばセルフタイマ撮影及びバルブ撮影の設定は、メニュー画面で設定するものとし、このメニュー画面でセルフタイマ撮影又はバルブ撮影が選択されたことを検出すると、手ブレ補正の機能をＯＦＦし、フレーミングの調整機能をＯＮにする。この他、セルフタイマ撮影又はバルブ撮影を行うための専用のボタンを設置し、このボタンの押下を検出して、手ブレ補正装置の機能を切り替えるようにしてもよい。
【００８２】
また、長時間露光撮影については、たとえばマニュアル設定されたシャッタスピードを検出し、規定のシャッタスピード（たとえば、１／２秒）以下のシャッタスピードに設定されたことを検出すると、手ブレ補正の機能をＯＦＦし、フレーミングの調整機能をＯＮにする。
【００８３】
このように、カメラを三脚に設置して撮影するような状況を自動で検出して、自動で手ブレ補正の機能をＯＦＦし、フレーミングの調整機能のみをＯＮにすることにより、手ブレの誤検出に基づく画質の劣化や無駄な電力消費も抑止することができる。
【００８４】
なお、本実施の形態では、手ブレ補正装置として、撮影レンズの一部を移動させて像のブレを補正する方式の装置を採用したが、手ブレ補正装置の手ブレ補正の方式は、これに限定されるものではない。たとえば、ブレを相殺する方向に撮像素子を移動させて、像のブレを補正する方式の手ブレ補正装置を用いてもよい。
【００８５】
また、上記の実施の形態では、本発明をデジタルカメラに適用した場合を例に説明したが、本発明の適用は、これに限定されるものではなく、光学式の手ブレ補正装置を備えた全ての撮影機器（たとえば、銀塩カメラやビデオカメラ、カメラ付き携帯電話機など）に適用することができる。
【図面の簡単な説明】
【００８６】
【図１】デジタルカメラの正面斜視図
【図２】デジタルカメラの背面斜視図
【図３】デジタルカメラの電気的構成を示すブロック図
【図４】撮影レンズの概略構成を示す図
【図５】手ブレ補正装置の構成を示す分解斜視図
【図６】手ブレ補正機能切替スイッチが「フレーミング調整位置」に合わせられた時のデジタルカメラの処理動作の手順を示すフローチャート
【図７】手ブレ補正機能切替スイッチが「手ブレ補正＋フレーミング調整位置」に合わせられた時のデジタルカメラの処理動作の手順を示すフローチャート
【符号の説明】
【００８７】
１…第１レンズ群、２…第２レンズ群、３…第３レンズ群、３Ａ…補正レンズ、３Ｂ…固定レンズ、４…第４レンズ群、５…絞り、１０…デジタルカメラ、１２…カメラボディ、１４…撮影レンズ、１６…ファインダ窓、１８…ストロボ、２０…シャッタボタン、２２…電源／モードスイッチ、２４…モードダイヤル、２６…手ブレ補正機能切替スイッチ、２８…ファインダ接眼部、３０…液晶モニタ、３２…ズームボタン、３４…十字キー、３６…ＭＥＮＵ／ＯＫボタン、３８…ＤＩＳＰボタン、４０…ＢＡＣＫボタン、５０…手ブレ補正装置、５２…レンズ鏡筒、５４Ｐ…Ｐガイド軸、５４Ｙ…Ｙガイド軸、５６Ｐ…Ｐスライダ、５６Ｙ…Ｙスライダ、５８Ｐ…ｐガイド軸、５８Ｙ…ｙガイド軸、６０…レンズ保持枠、６２Ｐ…コイル、６２Ｙ…コイル、６４Ｐ…マグネット、６４Ｙ…マグネット、６６Ｐ…Ｐコイルモータ、６６Ｙ…Ｙコイルモータ、６８Ｐ…マグネット、６８Ｙ…マグネット、７０Ｐ…Ｐ位置センサ、７０Ｙ…Ｙ位置センサ、７２Ｐ…Ｐコイルモータドライバ、７２Ｙ…Ｙコイルモータドライバ、１１４…ＣＣＤ、１１６…アナログ信号処理部、１１８…Ａ／Ｄ変換器、１２０…デジタル信号処理部、１２２…圧縮伸張処理部、１２４…メディアコントローラ、１２６…記憶メディア、１２８…エンコーダ、１３０…液晶モニタ、１３２…操作部、１３４…ＣＰＵ、１３６…ＲＡＭ、１３８…ＲＯＭ
【図１】
2006222794.tif 000003
【図２】
2006222794.tif 000004
【図３】
2006222794.tif 000005
【図４】
2006222794.tif 000006
【図５】
2006222794.tif 000007
【図６】
2006222794.tif 000008
【図７】
2006222794.tif 000009